(57)【要約】【課題】小型で制御対象が少なく、迅速なモード切換を可能にすると共に、空気漏洩を抑えることができる除加湿装置および空気調和機ならびに空気漏洩防止構造を提供する。【解決手段】除加湿装置１０００が有する空気漏洩防止構造１００は、筐体１の内部に配置された、第１層風路仕切板１１によって２つの風路に仕切られた第１層１０と、第１層風路仕切板１１に当接して回転自在な複数の上部通気部を有する上部風路切換ダンパ５０と、上部風路切換ダンパ５０に当接する第２層風路仕切板２１によって２つの風路に仕切られた第２層２０と、同様の構造である第３層３０、下部風路切換ダンパ６０および第４層４０と、第２層風路仕切板２１と第３層風路仕切板３１とに挟まれた水分吸着手段２と、を有し、上部風路切換ダンパ５０および下部風路切換ダンパ６０を回転することによって、風路を切り換える。【選択図】図１
2010101579.tif 000002
【特許請求の範囲】
【請求項１】
筒状の筐体と、
該筐体の内部に配置され、第１層風路仕切板によって仕切られた第１層甲風路および第１層乙風路を有する第１層と、
前記筐体の内部に配置され、前記第１層風路仕切板に当接して回転自在な複数の上部通気部を有する上部風路切換ダンパと、
前記筐体の内部に配置され、前記上部風路切換ダンパに当接する第２層風路仕切板によって仕切られた第２層甲風路および第２層乙風路を有する第２層と、
前記筐体の内部に配置され、第３層風路仕切板によって仕切られた第３層甲風路および第３層乙風路を有する第３層と、
前記筐体の内部に配置され、前記第３層風路仕切板に当接して回転自在な複数の下部通気部を有する下部風路切換ダンパと、
前記筐体の内部に配置され、前記下部風路切換ダンパに当接する第４層風路仕切板によって仕切られた第４層甲風路および第４層乙風路を有する第４層と、
が積層され、
前記第２層と前記第３層との間に、一方の面が前記第２層風路仕切板に当接し、かつ、他方の面が前記第３層風路仕切板に当接するように通気体が配置された際、
前記上部風路切換ダンパおよび前記下部風路切換ダンパを回転させることによって、前記第１層甲風路と前記第２層甲風路と前記第３層甲風路と前記第４層乙風路とを連通すると共に、前記第１層乙風路と前記第２層乙風路と前記第３層乙風路と前記第４層甲風路とを連通する、あるいは、前記第１層甲風路と前記第２層乙風路と前記第３層乙風路と前記第４層乙風路とを連通すると共に、前記第１層乙風路と前記第２層甲風路と前記第３層甲風路と前記第４層甲風路とを連通する、風路の切換ができることを特徴とする空気漏洩防止構造。
【請求項２】
前記第２層風路仕切板は前記第１層風路仕切板に対して平面視において略垂直に配置され、前記第３層風路仕切板と前記第２層風路仕切板とは平面視において略平行に配置され、前記第４層風路仕切板は前記第３層風路仕切板に対して平面視において略垂直に配置され、
前記上部通気部は前記上部風路切換ダンパの回転軸に対して対向する略９０°の範囲内に形成され、かつ、前記上部通気部に挟まれた範囲には上部閉塞部が形成され、
前記下部通気部は前記下部風路切換ダンパの回転軸に対して対向する略９０°の範囲内に形成され、かつ、前記下部通気部に挟まれた範囲には下部閉塞部が形成され、
前記上部通気部と前記下部通気部とが平面視において略垂直になる位置で、前記上部風路切換ダンパおよび前記下部風路切換ダンパが回転を停止することを特徴とする請求項１記載の空気漏洩防止構造。
【請求項３】
前記第１層風路仕切板は、前記上部風路切換ダンパに当接する端面に、回転軸に垂直な面を具備する仕切板突起が形成されて断面略Ｔ字状を呈する、または前記第２層風路仕切板は、前記上部風路切換ダンパに当接する端面に、回転軸に垂直な面を具備する仕切板突起が形成されて断面略Ｔ字状を呈する、または前記第３層風路仕切板は、前記下部風路切換ダンパに当接する端面に、回転軸に垂直な面を具備する仕切板突起が形成されて断面略Ｔ字状を呈する、または前記第４層風路仕切板は、前記下部風路切換ダンパに当接する端面に、回転軸に垂直な面を具備する仕切板突起が形成されて断面略Ｔ字状を呈する、の１以上であることを特徴とする請求項１または２記載の空気漏洩防止構造。
【請求項４】
前記上部風路切換ダンパの上部閉塞部は、回転軸を中心とした中心角度が略９０°の扇形であって、前記上部風路切換ダンパの少なくとも一方の面に、前記扇形の直線部分に沿って回転軸に平行なダンパ突起が形成される、または前記下部風路切換ダンパの下部閉塞部は、回転軸を中心とした中心角度が略９０°の扇形であって、前記下部風路切換ダンパの少なくとも一方の面に、前記扇形の直線部分に沿って回転軸に平行なダンパ突起が形成される、の一方であることを特徴とする請求項１または２記載の空気漏洩防止構造。
【請求項５】
前記上部風路切換ダンパの少なくとも一方の面に前記ダンパ突起が形成された場合、前記ダンパ突起の端面に当接自在な仕切板突起が、少なくとも前記第１層仕切板は前記第２層仕切板の側面に形成される、または前記下部風路切換ダンパの少なくとも一方の面に前記ダンパ突起が形成された場合、前記ダンパ突起の端面に当接自在な仕切板突起が、少なくとも前記第３層仕切板または前記第４層仕切板の側面に形成されることを特徴とする請求項４記載の空気漏洩防止構造。                             
【請求項６】
請求項１乃至５の何れかに記載の空気漏洩防止構造と、
空気である吸着入口空気を前記空気漏洩防止構造に供給する吸着空気送風手段と、
空気を加熱して高温の再生入口空気を生成する加熱手段と、
前記再生入口空気を前記空気漏洩防止構造に供給する再生空気送風手段と、
前記筐体の内部に配置された前記通気体として、通風性を有し、前記吸着入口空気に含まれた水分を吸着すると共に前記再生入口空気によって前記吸着した水分を再生する吸着剤が担持された水分吸着手段と、を有し、
前記第１層甲風路に、前記再生入口空気を通過するために第１層吸気口が形成され、
前記第１層乙風路に、前記水分吸着手段を経由した前記吸着入口空気が通過するための第１層排気口が形成され、
前記第４層甲風路に、前記吸着入口空気を通過させるための第４層吸気口が形成され、
前記第４層乙風路に、前記水分吸着手段を経由した前記再生入口空気が通過するための第４層排気口が形成されていることを特徴とする除加湿装置。
【請求項７】
前記第２層甲風路に、前記再生入口空気を通過させるための第２層吸気口が形成され、
前記第２層乙風路に、前記水分吸着手段を経由した前記吸着入口空気が通過するための第２層排気口が形成されていることを特徴とする請求項６記載の除加湿装置。
【請求項８】
前記第３層甲風路に、前記吸着入口空気を通過させるための第３層吸気口が形成され、
前記第３層乙風路に、前記水分吸着手段を経由した前記再生入口空気が通過するための第３層排気口が形成されていることを特徴とする請求項６または７記載の除加湿装置。
【請求項９】
前記風路切換に際し、前記上部風路切換ダンパと前記下部風路切換ダンパとが、それぞれ連動して角度９０°だけ互いに同一方向または正逆方向に回転されることを特徴とする請求項６記載の除加湿装置。
【請求項１０】
請求項１乃至３の何れかに記載の空気漏洩防止構造と、
空気を前記空気漏洩防止構造に供給する吸着空気送風手段と、
空気を加熱して高温空気を生成する加熱手段と、
前記高温空気を前記空気漏洩防止構造に供給する再生空気送風手段と、
前記筐体の内部に配置された前記通気体として通風性を有し、空気中の水分を吸着すると共に前記高温空気によって前記吸着した水分を再生する吸着剤が担持された水分吸着手段と、を有し、
前記第１層甲風路および前記第２層甲風路に、前記再生入口空気が通過するための第１層吸気口および第２層吸気口がそれぞれ形成され、
前記第１層乙風路および前記第２層乙風路に、前記水分吸着手段を経由した前記吸着入口空気が通過するための第１層排気口および第２層排気口がそれぞれ形成され、
前記第４層甲風路および前記第３層甲風路に、前記吸着入口空気を通過させるための第４層吸気口および第３層吸気口がそれぞれ形成され、
前記第４層乙風路および前記第３層乙風路に、前記水分吸着手段を経由した前記再生入口空気が通過するための第４層排気口および第３層排気口がそれぞれ形成され、
前記第１層吸気口および第２層吸気口並びに前記第１層排気口および第２層排気口と、前記第４層吸気口および第３層吸気口並びに前記第４層排気口および第３層排気口とが、それぞれ連動して角度１８０°だけ互いに同一方向または正逆方向に回転されることを特徴とする除加湿装置。
【請求項１１】
請求項１乃至３の何れかに記載の空気漏洩防止構造と、
空気を前記空気漏洩防止構造に供給する吸着空気送風手段と、
空気を加熱して高温空気を生成する加熱手段と、
前記高温空気を前記空気漏洩防止構造に供給する再生空気送風手段と、
前記筐体の内部に配置された前記通気体として通風性を有し、空気中の水分を吸着すると共に前記高温空気によって前記吸着した水分を再生する吸着剤が担持された水分吸着手段と、を有し、
前記第１層甲風路および前記第２層甲風路に、前記再生入口空気が通過するための第１層吸気口および第２層吸気口がそれぞれ形成され、
前記第１層乙風路および前記第２層乙風路に、前記水分吸着手段を経由した前記吸着入口空気が通過するための第１層排気口および第２層排気口がそれぞれ形成され、
前記第４層甲風路および前記第３層甲風路に、前記吸着入口空気を通過させるための第４層吸気口および第３層吸気口がそれぞれ形成され、
前記第４層乙風路および前記第３層乙風路に、前記水分吸着手段を経由した前記再生入口空気が通過するための第４層排気口および第３層排気口がそれぞれ形成され、
前記第１層吸気口および第２層吸気口並びに前記第１層排気口および第２層排気口並びに前記上部風路切換ダンパと、前記第４層吸気口および第３層吸気口並びに前記第４層排気口および第３層排気口並びに前記下部風路切換ダンパとが、それぞれ連動して角度９０°だけ互いに同一方向または正逆方向に回転されることを特徴とする除加湿装置。
【請求項１２】
請求項６乃至１１の何れかに記載の除加湿装置と、ヒートポンプサイクルを構成する圧縮機、室外側熱交換器および膨張弁と、を具備する室外機と、
前記ヒートポンプサイクルを構成する室内側熱交換器を具備する室内機と、
前記室外機と前記室内機とを連結して前記ヒートポンプサイクルを構成する冷媒配管と、を有すことを特徴とする空気調和機。
【請求項１３】
前記室外機の上部に前記除加湿装置が一体的に固定されていることを特徴とする請求項１２記載の空気調和機。
【請求項１４】
前記除加湿装置において、前記水分吸着手段を経由した前記吸着入口空気が、前記室外側熱交換器に供給され、前記室外側熱交換器の着霜が抑制されることを特徴とする請求項１２または１３記載の空気調和機。
【発明の詳細な説明】
【技術分野】
【０００１】
本発明は、吸着剤を利用した除加湿装置、および加湿機能を有した空気調和機、ならびに空気漏洩防止構造に関するものである。
【背景技術】
【０００２】
第１の従来技術として、外気中の水分を加湿水として利用する無給水加湿手段を、２台の無給水加湿ユニットとして室外機に具備し、吸湿モード、加湿モードを交互に切換えることにより、室内を加湿するという技術が知られている（例えば、特許文献１参照）。
【０００３】
第２の従来技術として、円柱形状に成形された吸着材、２つの空気流通路とそれぞれに設置された送風装置、およびヒータからなる除加湿装置を室外に設置し、駆動モータにより吸着材を回転させ、一方の空気流通路を通り、吸着材に水分を吸着された乾燥空気を室外に排気し、もう一方の空気流通路を通り、吸着材に吸着された水分を蒸発した加湿空気を室内へ送って加湿する技術が知られている（例えば、特許文献２参照）。
【０００４】
第３の従来技術として、モータによって回転する円板状の加湿ロータを除加湿装置のケーシング内に配置し、ケーシング内を仕切り板で仕切って、吸湿風路と加湿風路を形成させ、それぞれの風路において、加湿ロータよりも下流側に吸湿ファン、加湿ファンを設置し、加湿ファンから空気を吸引する技術が知られている（例えば、特許文献３参照）。
【０００５】
【特許文献１】特許第３１３２９４０号公報（第３頁、図４）
【特許文献２】特許第３５５９４２１号公報（第４−５頁、図１）
【特許文献３】特許第３４３０９９３号公報（００１８欄−００２８欄、図１）
【発明の開示】
【発明が解決しようとする課題】
【０００６】
第１の従来技術では、２台の無給水加湿ユニットにおいて、吸湿モード、加湿モードを交互に切換えるので、常に室内に加湿空気を供給することができるが、ユニットが２台あるため装置が大型化してコストがかかるという問題があった。
また、モードの切換の際には、四方向電磁弁、２つの二方向電磁弁、２つのポンプを切換え、さらに２つのヒータをＯＮ／ＯＦＦする必要があるため、制御対象が多く複雑であるという問題課題があった。
また、ヒータをＯＮ／ＯＦＦするので、吸湿モードに切換わった際には、ヒータが冷めるまでは高温空気が送られるため、吸湿が行われず、一方加湿モードに切換わった際には、ヒータの温度が立ち上がるまでは加湿が行われないため、モード切換時の時間的ロスが大きいという問題があった。
【０００７】
また第２の従来技術では、吸着材を回転させ、一方の空気流通路で吸着させた外気中の水分を、もう一方の空気流通路で蒸発させて室内へ送っているので、風路を切換えることなく、連続的に加湿空気を室内へ供給することができるが、２つの空気流通路に跨って設置された吸着材を回転させるために、吸着材近傍には隙間を設置せざるをえず、空気流通路間で空気漏洩が発生するという問題があった。
また、送風装置を室外に設置しているので、室内への送風装置から発生する騒音の影響を低減できるが、２つの送風装置による空気流の方向が同一であるため、吸着材における吸着と脱着が並列方向で行われることになり、吸脱着効率が低下し、充分な加湿量を得られないという課題があった。
【０００８】
また、第３の従来技術では、吸湿風路における吸湿ファン、加湿風路における加湿ファンを、ともに加湿ロータの下流側に設置して空気を吸引しているので、加湿ロータ近傍ではどちらの風路においても負圧となり、どちらかのファンを加湿ロータ上流側に配置する場合よりも両風路間の空気漏洩は低減できるが、加湿ロータを回転させるためには必ず隙間を設けなければならないため、特に両風路間の風量差が大きい場合には、空気漏洩が顕著になり、加湿性能が大きく低下するという問題があった。
【０００９】
この発明は、上述のような問題を解決するためになされたものであり、小型で制御対象が少なく、迅速なモード切換を可能にすると共に、空気漏洩を抑えることができる除加湿装置および空気調和機ならびに空気漏洩防止構造を提供するものである。
【課題を解決するための手段】
【００１０】
本発明に係る空気漏洩防止構造は、筒状の筐体と、
該筐体の内部に配置され、第１層風路仕切板によって仕切られた第１層甲風路および第１層乙風路を有する第１層と、
前記筐体の内部に配置され、前記第１層風路仕切板に当接して回転自在な複数の上部通気部を有する上部風路切換ダンパと、
前記筐体の内部に配置され、前記上部風路切換ダンパに当接する第２層風路仕切板によって仕切られた第２層甲風路および第２層乙風路を有する第２層と、
前記筐体の内部に配置され、第３層風路仕切板によって仕切られた第３層甲風路および第３層乙風路を有する第３層と、
前記筐体の内部に配置され、前記第３層風路仕切板に当接して回転自在な複数の下部通気部を有する下部風路切換ダンパと、
前記筐体の内部に配置され、前記下部風路切換ダンパに当接する第４層風路仕切板によって仕切られた第４層甲風路および第４層乙風路を有する第４層と、
が積層され、
前記第２層と前記第３層との間に、一方の面が前記第２層風路仕切板に当接し、かつ、他方の面が前記第３層風路仕切板に当接するように通気体が配置された際、
前記上部風路切換ダンパおよび前記下部風路切換ダンパを回転させることによって、前記第１層甲風路と前記第２層甲風路と前記第３層甲風路と前記第４層乙風路とを連通すると共に、前記第１層乙風路と前記第２層乙風路と前記第３層乙風路と前記第４層甲風路とを連通する、あるいは、前記第１層甲風路と前記第２層乙風路と前記第３層乙風路と前記第４層乙風路とを連通すると共に、前記第１層乙風路と前記第２層甲風路と前記第３層甲風路と前記第４層甲風路とを連通する、風路の切換ができることを特徴とする。
【発明の効果】
【００１１】
本発明に係る空気漏洩防止構造は前記構成であるから、密閉性が高く、空気漏洩の少ない風路を形成することができると共に、上部風路切換ダンパおよび下部風路切換ダンパを回転させるという単純な動作により風路を切り換えることが可能になる。
したがって、かかる空気漏洩防止構造の内部に通気体として、吸着剤が担持された水分吸着手段を設置すれば、小型で制御対象が少なく、迅速なモード切換を可能にすると共に、空気漏洩を抑えることができ、しかも、特定の風路が冷却されることがないため内部において結露が発生し難い除加湿装置、さらに、かかる除加湿装置を装備した空気調和機が得られる。
【発明を実施するための最良の形態】
【００１２】
[実施の形態１：除加湿装置]
図１〜図３は、本発明の実施の形態１に係る除加湿装置を模式的に説明するものであって、図１は一部を透視して模式的に示す斜視図、図２は除加湿装置を構成する空気漏洩防止構造を分解して模式的に示す斜視図、図３は動作を模式的に示す部分平面図である。なお、以下の図において同じ部分または相当する部分には同じ符号を付し、一部の説明を省略する。
図１において、除加湿装置（以下、「加湿ユニット」と称する場合がある）１０００の内部には、基本的な構成要素として、空気漏洩防止構造１００の内部に収納された水分吸着手段２と、吸着空気送風手段３と、再生空気送風手段４と、加熱手段５と、が配置されている。なお、空気漏洩防止構造１００は本発明の実施の形態に係るものであるが、除加湿装置１０００の説明において、併せて説明する。
【００１３】
（空気漏洩防止構造）
空気漏洩防止構造１００は、筐体１と、第１層風路仕切板１１と、上部風路切換ダンパ５０と、第２層風路仕切板２１と、第３層風路仕切板３１と、上部風路切換ダンパ５０と、第４層風路仕切板４１と、から構成されている（これについては以下に詳細に説明する）。
なお、説明の便宜上、側面視において前記筒状の軸方向の一方側を「上、上側あるいは上部」と、前記筒状の軸方向の他方側を「下、下側あるいは下部」と称呼する。また、平面視において、筐体１の中心軸１ｚに垂直の面内で、所定の方向を「北」と称呼し、北に対して９０°時計回りの方向を「東」と、東に対して９０°時計回りの方向を「南」と、南に対して９０°時計回りの方向を「西」と称呼する。
したがって、上部風路切換ダンパ５０と下部風路切換ダンパ６０とは、何れが直上または斜め上方（中心軸１ｚが鉛直方向でない場合）に位置してもよく、また、例えば、後記する第１層北風路１０ａが地図上の北に位置するものではない。また、以下の説明および図において、共通する内容の説明または相当する部材（吸着出口空気や再生出口空気等を含む）の図示に際し、符号に付した添え字「ａ、ｂ」等を省略することがある。
【００１４】
（水分吸着手段）
水分吸着手段２は円柱形状で、周囲が円筒形状の筐体１（空気漏洩防止構造１００を構成している）と、その中心軸１ｚとに固定されており、また、担持させる吸着剤として、たとえばゼオライト、シリカゲル、活性炭等、からなる多孔質基材に塗布あるいは表面処理あるいは含浸されたものを使用する。
なお、以下の説明の便宜上、水分吸着手段２は中心軸１ｚを通過して南北方向に配置された図示しない分離手段によって、半円柱状の西水分吸着手段２ａおよび東水分吸着手段２ｂに分割されているとしているが、通常は、分離手段が配置されない一体物である（分離手段によって実際に分離されていてもよい）。
【００１５】
（風路仕切板）
図２において、水分吸着手段２の周辺風路は、水分吸着手段２を挟んで上部２層（第１層１０、第２層２０）、下部２層（第３層３０、第４層４０）の計４層構造になっている。
第１層１０は東西方向（図中、左右方向）に配置された第１層風路仕切板１１によって第１層北風路（第１層甲風路に相当する）１０ａおよび第１層南風路（第１層乙風路に相当する）１０ｂに、第２層２０は南北方向（図中、上下方向）に配置された第２層風路仕切板２１によって第２層西風路（第２層甲風路に相当する）２０ａおよび第２層東風路（第２層乙風路に相当する）２０ｂに、それぞれ分割されている。
同様に、第３層３０は南北方向に配置された第３層風路仕切板３１によって第３層西風路（第３層甲風路に相当する）３０ａおよび第３層東風路（第３層甲風路に相当する）３０ｂに、第４層４０は東西方向に配置された第４層風路仕切板４１によって第４層北風路（第４層甲風路に相当する）４０ａおよび第４層南風路（第４層乙風路に相当する）４０ｂに、それぞれ分割されている。
すなわち、第１層１０および第４層４０では南北（図中、上下）で２つの領域に仕切られ、第２層２０および第３層３０では東西（図中、左右）で２つの領域に仕切られている。このとき、第１層風路仕切板１１、第２層風路仕切板２１、第３層風路仕切板３１および第４層風路仕切板４１は、何れも、周囲の円筒形状の筐体１と中心軸１ｚとに固定されている。
なお、図２は各部品を分解して間隔を空けて示してあるが、実際には隣り合う部品は密着している。また、説明の便宜上、第１層風路仕切板１１、第２層風路仕切板２１、第３層風路仕切板３１および第４層風路仕切板４１を、まとめて又はそれぞれを「風路仕切板等」と称する場合がある。
【００１６】
（風路切換ダンパ）
また、第１層１０と第２層２０との間には上部風路切換ダンパ５０が、第３層３０と第４層４０との間には下部風路切換ダンパ６０が、いずれも中心軸１ｚを回転軸として回転可能に設置されている。
上部風路切換ダンパ５０は、中心軸１ｚに対して等角に４分割され、中心角９０°の扇形（１／４円）の開口部である上部ダンパ通気部５０ａ、５０ｄが対角位置に配置され、上部ダンパ通気部５０ａと上部ダンパ通気部５０ｄとに挟まれた閉塞部である上部ダンパ閉塞部５０ｂ、５０ｃが対角位置に配置されている。
同様に、下部風路切換ダンパ６０は、それぞれ中心角９０°の扇形（１／４円）の開口部である下部ダンパ通気部６０ａ、６０ｄが対角位置に配置され、下部ダンパ通気部６０ａと下部ダンパ通気部６０ｄとに挟まれた閉塞部である下部ダンパ閉塞部６０ｂ、６０ｃが対角位置に配置されている。
【００１７】
そして、上部ダンパ通気部５０ａ、５０ｄと下部ダンパ通気部６０ａ、６０ｄとが平面視で互い違いになるように設置されている。すなわち、上部ダンパ通気部５０ａ、５０ｄと下部ダンパ閉塞部６０ｂ、６０ｃとが平面視で互い重なるように設置されている。
したがって、第１層１０と第２層２０とが北西の１／４円範囲および南東の１／４円範囲において連通した場合には、第３層３０と第４層４０とが北東の１／４円範囲および南西の１／４円範囲において連通し、一方、第１層１０と第２層２０とが北東の１／４円範囲および南西の１／４円範囲において連通した場合には、第３層３０と第４層４０とが北西の１／４円範囲および南東の１／４円範囲において連通する。
【００１８】
さらに、第１層１０には、第１層南風路１０ｂに吸着空気送風手段３と連通する第１層排気口１３と、第１層北風路１０ａに再生空気送風手段４と連通する第１層吸気口１４と、が設置されている。
同様に、第４層４０には、第４層北風路４０ａに吸着空気送風手段３と連通する風路側には第４層吸気口４３と、第４層南風路４０ｂに、再生空気送風手段４と連通する第４層排気口４４が設置されている。
なお、説明の便宜上、上部風路切換ダンパ５０および下部風路切換ダンパ６０をまとめて又はそれぞれを「風路切換ダンパ板等」と、上部ダンパ通気部５０ａ、５０ｄおよび下部ダンパ通気部６０ａ、６０ｄをまとめて又はそれぞれを「ダンパ通気部等」と、上部ダンパ閉塞部５０ｂ、５０ｃおよび下部ダンパ閉塞部６０ｂ、６０ｃをまとめて又はそれぞれを「ダンパ閉塞部等」と、それぞれ称する場合がある。
【００１９】
（ダンパ位置＜Ａ＞における吸着工程）
次に動作の一例を、図３（図２に示した各部品を分解して示す平面図）に基づいて説明する。図３の左側に示すダンパ位置＜Ａ＞が図２のダンパ位置と同じである。
ダンパ位置＜Ａ＞のとき、室外空気Ｗがそのまま、吸着空気送風手段３によって吸着入口空気Ｗ３として第４層吸気口４３から第４層北風路４０ａに流入し、下部ダンパ６０の下部ダンパ通気部６０ａを通過して第３層３０の第３層東風路３０ｂへ流入する。このとき、第４層北風路４０ａと第３層西風路３０ａとは下部ダンパ閉塞部６０ｃによって遮断されているから、吸着入口空気Ｗ３が第３層西風路３０ａに流入することはない。
そして、第３層東風路３０ｂと東水分吸着手段２ｂと第２層東風路２０ｂとは、何れも同じ位相で密に重なっているから、第３層東風路３０ｂに流入した吸着入口空気Ｗ３は、東水分吸着手段２ｂを経由して第２層東風路２０ｂに流入する。このとき、東水分吸着手段２ｂにおいて、吸着入口空気Ｗ３（外気に同じ）に含まれていた水分は吸着され、乾燥した吸着出口空気Ｗ３２ｂとなる。
そして、乾燥した吸着出口空気Ｗ３２ｂは上部ダンパ通気部５０ｄを通過して、第１層南風路１０ｂに流入し、その後、第１層排気口１３より流出し、室外へ排気される。このとき、第２層東風路２０ｂと第１層北風路１０ａとは上部ダンパ閉塞部５０ｂによって遮断されているから、吸着出口空気Ｗ３２ｂが第１層北風路１０ａに流入することはない。
【００２０】
（ダンパ位置＜Ａ＞における再生工程）
一方、図１に示されるように、室外空気Ｗは加熱手段５によって昇温されて高温低湿の再生入口空気Ｗ４５として、第１層吸気口１４から第１層北風路１０ａに吸い込まれ、上部風路切換ダンパ５０の上部ダンパ通気部５０ａを通過して第２層２０の第２層西風路２０ａへ流入する。このとき、第１層北風路１０ａと第２層東風路２０ｂとは上部ダンパ閉塞部５０ｂによって遮断されているから、再生入口空気Ｗ４５が第２層東風路２０ｂに流入することはない。
そして、第２層西風路２０ａと西水分吸着手段２ａと第３層西風路３０ａとは、何れも同じ位相で密に重なっているから、第２層西風路２０ａに流入した再生入口空気Ｗ４５は、西水分吸着手段２ａを経由して第３層西風路３０ａに流入する。このとき、西水分吸着手段２ａにおいて、吸着入口空気Ｗ３（外気に同じ）に含まれていた水分は再生されて高湿の再生出口空気Ｗ４５２ａとなる。
さらに、再生出口空気Ｗ４５２ａは、下部風路切換ダンパ６０の下部ダンパ通気部６０ｄを通過して第４層南風路４０ｂへ流入し、その後、第４層排気口４４より流出し、再生空気送風手段４を経由して室内へ搬送されて、室内を加湿する。このとき、第３層西風路３０ａと第４層北風路４０ａとは下部ダンパ閉塞部６０ｃによって遮断されているから、再生出口空気Ｗ４５２ａが第４層北風路４０ａに流入することはない。
【００２１】
（ダンパ位置＜Ｂ＞における吸着工程）
次に、東水分吸着手段２ｂにおける吸着工程、西水分吸着手段２ａにおける再生工程が完了する程度の時間が経過した後、図３に示されるように、中心軸１ｚを回転軸として、上部風路切換ダンパ５０および下部風路切換ダンパ６０を、例えばステッピングモーターなどを用いて９０°回転させ、ダンパ位置を＜Ａ＞から＜Ｂ＞へと切り換える。
ダンパ位置＜Ｂ＞のとき、室外空気Ｗがそのまま、吸着空気送風手段３によって吸着入口空気Ｗ３として第４層吸気口４３から第４層北風路４０ａに流入し、下部ダンパ６０の下部ダンパ通気部６０ｄを通過して第３層３０の第３層西風路３０ａへ流入する。このとき、第４層北風路４０ａと第３層東風路３０ｂとは下部ダンパ閉塞部６０ｃによって遮断されているから、吸着入口空気Ｗ３が第３層東風路３０ｂに流入することはない。
そして、第３層西風路３０ａと西水分吸着手段２ａと第２層西風路２０ａとは、何れも同じ位相で密に重なっているから、第３層西風路３０ａに流入した吸着入口空気Ｗ３は、西水分吸着手段２ａを経由して第２層西風路２０ａに流入する。このとき、西水分吸着手段２ａにおいて、吸着入口空気Ｗ３（外気に同じ）に含まれていた水分は吸着され、乾燥した吸着出口空気Ｗ３２ａとなる。
そして、乾燥した吸着出口空気Ｗ３２ａは、上部ダンパ通気部５０ｄを通過して第１層南風路１０ｂに流入し、その後、第１層排気口１３より流出し、室外へ排気される。このとき、第２層西風路２０ａと第１層北風路１０ａとは上部ダンパ閉塞部５０ｃによって遮断されているから、吸着出口空気Ｗ３２ａが第１層北風路１０ａに流入することはない。
【００２２】
（ダンパ位置＜Ｂ＞における再生工程）
一方、図１に示されるように、室外空気Ｗは加熱手段５によって昇温されて高温低湿の再生入口空気Ｗ４５として、第１層吸気口１４から第１層北風路１０ａに吸い込まれ、上部風路切換ダンパ５０の上部ダンパ通気部５０ａを通過して第２層２０の第２層東風路２０ｂへ流入する。このとき、第１層北風路１０ａと第２層西風路２０ａとは上部ダンパ閉塞部５０ｃによって遮断されているから、再生入口空気Ｗ４５が第２層西風路２０ａに流入することはない。
そして、第２層東風路２０ｂと東水分吸着手段２ｂと第３層東風路３０ｂとは、何れも同じ位相で密に重なっているから、第２層東風路２０ｂに流入した再生入口空気Ｗ４５は、東水分吸着手段２ｂを経由して第３層東風路３０ｂに流入する。このとき、東水分吸着手段２ｂにおいて、吸着入口空気Ｗ３（外気に同じ）に含まれていた水分は再生されて高湿の再生出口空気Ｗ４５２ｂとなる。
さらに、高湿の再生出口空気Ｗ４５２ｂは、下部風路切換ダンパ６０の下部ダンパ通気部６０ａを通過して第４層南風路４０ｂへ流入し、その後、第４層排気口４４より流出し、再生空気送風手段４を経由して室内へ搬送されて、室内を加湿する。このとき、第３層東風路３０ｂと第４層北風路４０ａとは下部ダンパ閉塞部６０ｃによって遮断されているから、再生出口空気Ｗ４５２ｂが第４層北風路４０ａに流入することはない。
【００２３】
（作用効果）
除加湿装置１０００は、このようであるから以下のような作用効果を奏する。
（ｉ）除加湿装置１０００は上部風路切換ダンパ５０および下部風路切換ダンパ６０を回転させて、風路を切り換えるという単純な動作により、室内へ連続的に加湿空気（高湿の再生出口空気Ｗ４５２ａ、Ｗ４５２ｂ）を供給することが可能となる。
（ｉｉ）また、西水分吸着手段２ａにおける風向と東水分吸着手段２ｂにおける風向とが逆、すなわち吸着工程における風流れと再生工程における風流れが対向流となるため、水分吸着手段２の厚みが大きくなっても水分の吸着、再生を効率的に行うことができる。
（ｉｉｉ）また、この風路を切り換える時間の最適値は水分吸着手段２に担持されている吸着剤の種類によって異なるので、例えばゼオライトのように比較的吸着速度の大きい材料の場合は短く（約４５〜９０秒）、シリカゲルのように比較的吸着速度の小さい材料の場合は長く（約９０〜１８０秒）設定することにより、様々な特性を持った吸着剤に対して最適な運転が可能となる。
（ｉｖ）また、水分吸着手段２を回転させるローター方式と比較し、最も空気漏洩の大きい水分吸着手段２近傍を第２層風路仕切板２１および第３層風路仕切板３１により完全に密閉しており、上部風路切換ダンパ５０および下部風路切換ダンパ６０の端面に、例えばウレタンなどの柔軟性に優れた材料を付加しても、低トルクで回転でき、空気漏洩を最小限に抑えることが可能となる。
（ｖ）さらに、低温空気（Ｗ３）が流れる吸着風路と高温高湿空気（Ｗ４５）が流れる再生風路が常に固定され、両風路の境界面の再生風路側で結露を発生しやすいローター方式に対し、吸着風路と再生風路が切り換わり、特定の風路が冷却されることがないため、結露を発生しにくいという特徴もある。
【００２４】
（ｖｉ）また、上部風路切換ダンパ５０および下部風路切換ダンパ６０は、同一方向に９０°連続回転させて風路を切り換えるのが望ましい。同一方向に回転させることにより、ダンパに中心軸を設置して軸を回転させても、外周部分にギア等を設置して回転させてもモータは１つで回転可能であり、コストを削減することができる。
【００２５】
（ｖｉｉ）また、第１層１０、第２層２０、第３層３０および第４層４０のそれぞれの厚さ（相対的な厚みの大小関係）は限定するものではなく、空気の吸込口や吹出口が設置されている第１層１０や第４層４０の方を、水分吸着手段２に近接している第２層２０や第３層３０よりも厚くしてもよいし、反対に、第１層１０や第４層４０の方を第２層２０や第３層３０より薄くしてもよい。第１層１０や第４層４０を厚くした場合には、吸込口や吹出口を大きくすることができ、風路圧損が小さくなるため送風手段の小型化を図ることができる。
（ｖｉｉｉ）一方、第２層２０や第３層３０を厚くした場合には、１／４円範囲から流入した空気が１／２円範囲である水分吸着手段２の全体に行き渡り易くなるため、風速分布が均一化され、水分吸着手段２の全体に担持された吸着剤を有効に使用することができるという効果がある。
【００２６】
（ｉｘ）図１では、吸着空気送風手段３を水分吸着手段２の風上側に設置し、吸着入口空気Ｗ３を第４層吸気口４３に押し込み、再生空気送風手段４を水分吸着手段２の風下側に設置し、再生出口空気Ｗ４５２を第４層排気口４４から吸い出す構成となっているが、吸着空気送風手段３を水分吸着手段２の風下側に設置し、吸着出口空気Ｗ３２を第１層排気口１３から吸い出し、再生空気送風手段４を水分吸着手段２の風上側に設置し、再生入口空気Ｗ４５を第１層吸気口１４に押し込む構成としてもよい。
風下側から吸い出す場合には、風路圧損が小さくなるため送風手段を小型化でき、風上側から押し込む場合には、水分吸着手段２における風速分布が均一化され、水分吸着手段２の全体に担持された吸着剤を有効に使用することができるという効果がある。
【００２７】
（ｘ）また、図１〜３では、水分吸着手段２における吸着工程と再生工程の空気の流れ方向が対向となるように、第１層１０には、第１層北風路１０ａに第１層吸気口１４と第１層南風路１０ｂに第１層排気口１３とを設け、第４層４０には、第４層北風路４０ａに第４層吸気口４３と第４層南風路４０ｂに第４層排気口４４を設置しているが、同じ対向流であって、第１層１０と第４層４０の上下位置を逆転させてもよい。
（ｘｉ）また、例えば第１層１０の第１層南風路１０ｂに第４層吸気口４３を、第４層４０の第４層北風路４０ａに第１層排気口１３を設置し、水分吸着手段２における吸着工程と再生工程が並行流で行われるようにしてもよい。この場合、２つの吸込口が第１層１０に、２つの吹出口が第４層４０にというように、それぞれ同じ層に位置することになるので、送風手段を第１層１０に設置し、第４層吸気口４３および第１層吸気口１４の双方に押し込む構成が可能となり、１つの送風手段で加湿空気を連続的に生成することができる。
【００２８】
（ｘｉｉ）以上のように、２つの回転型ダンパを切り換えるという単純な動作により、密閉性が高く空気漏洩の少ない風路にて、室内へ連続的に加湿空気を供給する除加湿装置を得ることができる。このとき、吸着剤を担持された水分吸着手段における吸着工程と再生工程が対向流となるため、水分の吸着、再生を効率的に行うことができ、高効率な除加湿装置となる。
（ｘｉｉｉ）また、吸着風路と再生風路が切り換わり、特定の風路が冷却されることがないため、除加湿装置内部において結露を発生しにくいという効果も得られる。
【００２９】
[実施の形態２：空気漏洩防止構造]
図４および図５は本発明の実施の形態２に係る空気漏洩防止構造を説明するものであって、図４は分解して模式的に示す斜視図、図５は一部を拡大して示す部分側面図である。なお、図４では、図２と同様に各部品を分解してわかりやすく示すため、それぞれを離して描いているが、実際には隣り合う部品は密着されている。また、実施の形態１と同じ部分にはこれと同じ符号を付し、一部の説明を省略する。
図４に示す空気漏洩防止構造２００は、空気漏洩防止構造１００に替えて除加湿装置１０００（図１参照）の内部に配置されるものである。
【００３０】
図５において、第１層１０を仕切る第１層風路仕切板１１の下端面（両側面の下縁に同じ）に、全長に渡って仕切面に垂直（前記接触面に平行に同じ）な方向に縁部突起（フランジに同じ）１５が形成され、断面Ｔ字状を呈している。すなわち、第１層縁部突起１５の下端面において上部風路切換ダンパ５０に接触している。したがって、第１層風路仕切板１１の下端面を接触する空気漏洩防止構造１００に比較して、第１層縁部突起１５が形成された空気漏洩防止構造２００は、接触面積が拡大している。
なお、第１層風路仕切板１１自体の下端面と第１層縁部突起１５の下端面とを同一面に形成して、両者の下端面を合計した面積において、上部風路切換ダンパ５０に接触するようにすれば、接触面積はさらに拡大する。また、第１層縁部突起１５と第１層風路仕切板１１とは一体的に形成してもよいし、別個に作成して接合してもよい。
【００３１】
図４において、第１層風路仕切板１１と同様に、第２層２０を仕切る第２層風路仕切板２１の上端面（両側面の上縁に同じ）には第２層縁部突起２５が、第３層３０を仕切る第３層風路仕切板３１の下端面には第３層縁部突起３５が、および第４層４０を仕切る第４層風路仕切板４１の上端面には第４層縁部突起４５が、それぞれ形成され、風路仕切板等は断面Ｔ字状を呈している。
なお、説明の便宜上、第１層縁部突起１５、第２層縁部突起２５、第３層縁部突起３５および第４層縁部突起４５をまとめて又はそれぞれを「縁部突起等」と称する場合がある。
【００３２】
（動作）
動作についても、基本的には実施の形態１と同様に、上部風路切換ダンパ５０および下部風路切換ダンパ６０を回転させ風路を切り換えることにより、室内へ連続的に加湿空気を供給するものである（実施の形態１参照）。
このとき、図５に示されているように、上部風路切換ダンパ５０は、第１層風路仕切板１１に形成された第１層縁部突起１５と第２層風路仕切板２１に形成された第２層縁部突起２５とによって挟まれている。すなわち、上部ダンパ閉塞部５０ｂ、５０ｃの上面は第１層縁部突起１５の下端面に接触し、上部ダンパ閉塞部５０ｂ、５０ｃの下面は第２層縁部突起２５の上端面に接触しているから、第１層縁部突起１５および第２層縁部突起２５を形成した分だけ空気漏洩防止構造１００（図２参照）よりも接触面積が拡大している。
同様に、下部風路切換ダンパ６０は、第３層風路仕切板３１に形成された第３層縁部突起３５と第４層風路仕切板４１に形成された第４層縁部突起４５とによって挟まれて、それぞれに接触しているから、第３層縁部突起３５および第４層縁部突起４５を形成した分だけ空気漏洩防止構造１００（図２参照）よりも接触面積が拡大している。
よって、空気漏洩を抑制することが可能となる。
【００３３】
また、風路仕切板等はいずれも縁部突起等の厚さ分だけ、幅が拡大しているから、風路切換ダンパ等の回転角度が、モータの回転誤差により９０°と若干異なった場合には、回転誤差を吸収することが可能となる。
また、風路切換ダンパ等は、一方の端面を南北方向に配置された幅が拡大した風路仕切板等によって支持され、他方の端面を東西方向に配置された幅が拡大した風路仕切板等によって支持される（平面視において、十字の風路仕切板等が存在することになる）ので、これが回転する際のガイドの役目も果たし、上下方向へのブレを防ぐことができるという効果も期待できる。
【００３４】
以上のように、空気漏洩防止構造２００によると、風路仕切板等の風路切換ダンパ等と接触する部分に、風路仕切面に対して垂直に（接触面に平行に）縁部突起を設けることにより、実施の形態１で示した効果に加え、風路仕切板等と風路切換ダンパ等の接触面積が大きくなるので、空気漏洩を抑制することが可能となり、また、風路切換ダンパ等の回転誤差も吸収でき、回転時の上下方向のブレも抑制できるという効果も得られる。
【００３５】
[実施の形態３：空気漏洩防止構造]
図６および図７は本発明の実施の形態３に係る空気漏洩防止構造を説明するものであって、図６は分解して模式的に示す斜視図、図７は一部を拡大して示す部分側面図である。なお、図６では、図２と同様に各部品を分解してわかりやすく示すため、それぞれを離して描いているが、実際には隣り合う部品は密着されている。また、実施の形態１と同じ部分にはこれと同じ符号を付し、一部の説明を省略する。
図６に示す空気漏洩防止構造３００は、空気漏洩防止構造１００に替えて除加湿装置１０００（図１参照）の内部に配置されるものである。
【００３６】
図７において、第１層１０を仕切る第１層風路仕切板１１の両側面の高さ方向の中間部には、全長に渡って左右に突出する第１層中間突起１６が形成されている。第１層中間突起１６は仕切面に垂直（接触面に平行）に形成されているから、第１層風路仕切板１１は断面十字状を呈している。
同様に、第２層２０を仕切る第２層風路仕切板２１の両側面の高さ方向の中間部には、全長に渡って左右に突出する第２層中間突起２６が形成されている。第２層中間突起２６は仕切面に垂直（接触面に平行）に形成されているから、第２層風路仕切板２１は断面十字状を呈している。
また、上部風路切換ダンパ５０の上面には、扇形の半径部分に全長に渡って第１層中間突起１６の方向に突出する上部ダンパ上面突起５１が形成され、下面には、扇形の半径部分に全長に渡って第２層中間突起２６の方向に突出する上部ダンパ下面突起５２が形成されている。
【００３７】
そして、第１層風路仕切板１１と上部風路切換ダンパ５０とは、前者の下端面と後者の上部ダンパ閉塞部５０ｂ、５０ｃの上面とが接触し、前者の側面と後者に形成された上部ダンパ上面突起５１の側面とが接触し、さらに、前者に形成された第１層中間突起１６の下面と後者に形成された上部ダンパ上面突起５１の上面とが接触している。すなわち、第１層風路仕切板１１と上部風路切換ダンパ５０とは接触部が咬み合っている。
したがって、第１層中間突起１６や上部ダンパ上面突起５１がない場合に比較して、接触面積が拡大している。また、前記接触が不充分で隙間が形成される場合であっても、当該隙間はＬ字状になり、圧損により空気が通り難くなっている（図７参照）。よって、空気漏洩を抑制することが可能になる。
【００３８】
また、第２層風路仕切板２１と上部風路切換ダンパ５０とは、前者の上端面と後者の上部ダンパ閉塞部５０ｂ、５０ｃの下面とが接触し、前者の側面と後者に形成された上部ダンパ下面突起５２の側面とが接触し、さらに、前者に形成された第２層中間突起２６の上面と後者に形成された上部ダンパ下面突起５２の下面とが接触している。すなわち、第２層風路仕切板２１と上部風路切換ダンパ５０とは接触部が咬み合っている。
したがって、第２層中間突起２６や上部ダンパ下面突起５２がない場合に比較して、接触面積が拡大している。また、前記接触が不充分で隙間が形成される場合であっても、当該隙間はＬ字状になり、圧損により空気が通り難くなっている。よって、空気漏洩を抑制することが可能になる。
【００３９】
図６において、第１層風路仕切板１１と同様に、第３層風路仕切板３１および第４層風路仕切板４１に、それぞれ第３層中間突起３６および第４層中間突起４６が形成され、一方、下部風路切換ダンパ６０の上面には、下部ダンパ上面突起６１および下部ダンパ下面突起６２が形成されている。
したがって、第３層風路仕切板３１と下部風路切換ダンパ６０との接触、および下部風路切換ダンパ６０と第４層風路仕切板４１との接触においても、前記と同様に接触面積が拡大したり、Ｌ字状の隙間が形成されて圧損により空気が通り難くなったりして、空気漏洩を抑制することが可能になっている（図示しない）。
【００４０】
（動作）
動作についても、基本的には実施の形態１と同様に、上部風路切換ダンパ５０および下部風路切換ダンパ６０を回転させ風路を切り換えることにより、室内へ連続的に加湿空気を供給するものである。
このとき、前記のように、風路仕切板等と風路切換ダンパ等との接触部における空気漏洩を抑制することが可能となる。
また、風路切換ダンパ等の回転を阻害（停止に同じ）する位置に第１層中間突起１６、第２層中間突起２６・・・や上部ダンパ上面突起５１、上部ダンパ下面突起５２・・・があるため、これらが咬み合ってストッパーの役目を果たすから、風路切換ダンパ等の回転誤差を完全に防ぐことが可能となる。このとき、角度９０°の正逆回転によって風路を切り換えることになる。
【００４１】
さらに、また、上部風路切換ダンパ５０が回転する間も、上部ダンパ上面突起５１の上面は第１層中間突起１６の下面の一部に接触し続け、上部ダンパ下面突起５２の下面は第２層中間突起２６の上面の一部に接触し続けるから（接触する位置は半径方向で変動する）、第１層中間突起１６および第２層中間突起２６は、上部風路切換ダンパ５０が回転する際のガイドの役目も果たし、上下方向へのブレを防ぐことができるという効果も期待できる。
同様に、第３層中間突起３６および第４層中間突起４６は、下部風路切換ダンパ６０が回転する際のガイドの役目も果たし、上下方向へのブレを防ぐことができるという効果も期待できる。
【００４２】
なお、図６および図７では、上部風路切換ダンパ５０の上面および下面にそれぞれ上部ダンパ上面突起５１および上部ダンパ下面突起５２が形成されているが、本発明はこれに限定するものではなく、上部ダンパ上面突起５１または上部ダンパ下面突起５２の一方を欠き、他方のみが形成されてもよい。そして、例えば、上部ダンパ上面突起５１を欠き、上部ダンパ下面突起５２のみが形成された場合、第１層風路仕切板１１には第１層中間突起に替えて第１層縁部突起１５（実施の形態２参照）を形成して、実施の形態２と同等の効果（空気漏洩の抑制や回転時のブレ抑制）を得るようにしてもよい。
また、下部風路切換ダンパ６０についても同様である。
【００４３】
以上のように、空気漏洩防止構造３００によると、実施の形態１で示した効果に加え、風路仕切板等と風路切換ダンパ等との接触面積が大きくなり、両者の接触部に隙間が形成される場合でも、隙間風路がＬ字型となって圧損により空気が通りにくくなるため、空気漏洩を抑制することが可能となる。また、風路仕切板等と風路切換ダンパ等との接触部が咬み合うため回転誤差を防ぐことができ、回転時の上下方向のブレも抑制できるという効果も得られる。
【００４４】
[実施の形態４]
図８〜図１０は本発明の実施の形態４に係る空気漏洩防止構造を説明するものであって、図８は分解して模式的に示す斜視図、図９および図１０は動作を模式的に示す部分平面図である。なお、図８では、図２と同様に各部品を分解してわかりやすく示すため、それぞれを離して描いているが、実際には隣り合う部品は密着されている。また、実施の形態１と同じ部分にはこれと同じ符号を付し、一部の説明を省略する。
図８に示す空気漏洩防止構造４００は、空気漏洩防止構造１００に替えて除加湿装置１０００（図１参照）の内部に配置されるものである。
【００４５】
図８において、空気漏洩防止構造４００の筐体１には、高さ方向で第１層１０から第２層２０に跨って円周方向で１／４円周の範囲に、互いに対称位置に筐体上部開口部１ｖと筐体上部開口部１ｗとが形成され、高さ方向で第３層３０から第４層４０に跨って円周方向で１／４円周の範囲に、互いに対称位置に筐体下部開口部１ｘと筐体下部開口部１ｙとが形成されている。そして、筐体１は、第１層１０から第２層２０の範囲（以下、「上部範囲」と称す）と第３層３０から第４層４０の範囲（以下、「下部範囲」と称す）とが、別個独立に回転自在になっている。
すなわち、筐体上部開口部１ｖによって、第１層１０に第１層吸気口１４と、上部風路切換ダンパ５０に上部ダンパ吸気口５４と、第２層２０に第２層吸気口２４と、が形成され、筐体上部開口部１ｗによって、第１層１０に第１層排気口１３と、上部風路切換ダンパ５０に上部ダンパ排気口５３と、第２層２０に第２層排気口２３と、が形成されたことに同じである。
同様に、筐体下部開口部１ｘによって、第４層４０に第４層排気口４４と、下部風路切換ダンパ６０に下部ダンパ吸気口６４と、第３層３０に第３層排気口３４と、が形成され、筐体下部開口部１ｙによって、第４層４０に第４層吸気口４３と、下部風路切換ダンパ６０に下部ダンパ吸気口６３と、第３層３０に第３層吸気口３３と、が形成されたことに同じである。
【００４６】
したがって、筐体上部開口部１ｖが北西に位置し、筐体上部開口部１ｗが南東に位置するとき、北西に位置する第１層１０の１／４円周範囲と、上部風路切換ダンパ５０の上部ダンパ通気部５０ａ（１／４円周範囲）と、第２層２０の１／４円周範囲と、によって再生空気送風手段４と連通する再生空気の上部吸気口が形成され、南北西に位置する第１層１０の１／４円周範囲と、上部風路切換ダンパ５０の上部ダンパ通気部５０ｄ（１／４円周範囲）と、第２層２０の１／４円周範囲と、によって吸着空気送風手段３と連通する吸着空気の上部排気口が形成される。
また、筐体下部開口部１ｘが南西に位置し、筐体下部開口部１ｙが北東に位置するとき、南西に位置する第３層３０の１／４円周範囲と、下部風路切換ダンパ６０の下部ダンパ通気部６０ｄ（１／４円周範囲）と、第４層４０の１／４円周範囲と、によって再生空気送風手段４と連通する再生空気の下部排気口が形成され、北西に位置する第３層３０の１／４円周範囲と、下部風路切換ダンパ６０の下部ダンパ通気部６０ａ（１／４円周範囲）と、第４層４０の１／４円周範囲と、によって吸着空気送風手段３と連通する吸着空気の下部吸気口が形成される。
【００４７】
（ダンパ位置＜Ａ＞における吸着工程）
次に動作の一例について図９に基づいて説明する。図９の左側のダンパ位置＜Ａ＞が図８に示すダンパ位置と同じである。
ダンパ位置＜Ａ＞のとき、室外空気Ｗは吸着空気送風手段３によって吸着入口空気Ｗ３として、吸着空気の下部吸気口として機能する筐体下部開口部１ｙを経由して、第４層４０の第４層北風路４０ａと、下部風路切換ダンパ６０の下部ダンパ通気部６０ａと、第３層３０の第３層東風路３０ｂとに、流入する。そして、それぞれ第３層３０の第３層東風路３０ｂを経由して東水分吸着手段２ｂを通過し、第２層２０の第２層東風路２０ｂに流入する。このとき、吸着入口空気Ｗ３に含まれていた水分は吸着されて乾燥した吸着出口空気Ｗ３２ｂになる。
さらに、第２層東風路２０ｂに流入した吸着出口空気Ｗ３２ｂは、上部風路切換ダンパ５０の上部ダンパ通気路５０ｄを通過して第１層南風路１０ｂに流入すると共に、吸着空気の上部排気口として機能する筐体上部開口部１ｗを経由して流出し、室外へ排気される。
【００４８】
（ダンパ位置＜Ａ＞における再生工程）
一方、図１に示されるように、室外空気Ｗは加熱手段５によって昇温されて高温低湿の再生入口空気Ｗ４５となった後、再生空気の上部吸気口として機能する筐体上部開口部１ｖを経由して、第１層１０の第１層北風路１０ａと、上部風路切換ダンパ５０の上部ダンパ通気部５０ａと、第２層２０の第２西風路２０ａとに、流入する。そして、それぞれ第２層２０の第２層西風路２０ａを経由して西水分吸着手段２ａを通過し、第３層３０の第３層西風路３０ａに流入する。このとき、高温低湿の再生入口空気Ｗ４５は、西水分吸着手段２ａを再生（含まれていた水分を奪う）して、高湿の再生出口空気Ｗ４５２ａになる。
さらに、第３層西風路３０ａに流入した再生出口空気Ｗ４５２ａは、下部風路切換ダンパ６０の下部ダンパ通気部６０ｄを通過して第４層南風路４０ｂに流入すると共に、再生空気の下部排気口として機能する筐体下部開口部１ｘを経由して流出し、筐体下部開口部１ｘに連通する再生空気送風手段４を経由して室内へ搬送されて、室内を加湿する。
【００４９】
（ダンパ位置＜Ｂ＞における吸着工程）
次に、東水分吸着手段２ｂにおける吸着工程、西水分吸着手段２ａにおける再生工程が完了する程度の時間が経過した後、図９に示されるように、中心軸１ｚを回転軸として、上部風路切換ダンパ５０および筐体１の上部範囲を時計回り方向に９０°回転させ、ダンパ位置を＜Ａ＞から＜Ｂ＞へと切り換えると共に、筐体上部開口部１ｖが北東に、筐体上部開口部１ｗが南西にそれぞれ位置させる。
また、下部風路切換ダンパ６０および筐体１の下部範囲を反時計回り方向に９０°回転させ、ダンパ位置を＜Ａ＞から＜Ｂ＞へと切り換えると共に、筐体下部開口部１ｘが南東に、筐体下部開口部１ｙが北西にそれぞれ位置させる。
【００５０】
室外空気Ｗは吸着空気送風手段３によって吸着入口空気Ｗ３として、吸着空気の下部吸気口として機能する筐体下部開口部１ｙを経由して、第４層４０の第４層北風路４０ａと、下部風路切換ダンパ６０の下部ダンパ通気部６０ａと、第３層３０の第３層西風路３０ａとに、流入する。そして、それぞれ第３層３０の第３層西風路３０ａを経由して西水分吸着手段２ａを通過し、第２層２０の第２層西風路２０ａに流入する。このとき、吸着入口空気Ｗ３に含まれていた水分は吸着されて乾燥した吸着出口空気Ｗ３２ａになる。
さらに、第２層西風路２０ａに流入した吸着出口空気Ｗ３２ａは、上部風路切換ダンパ５０の上部ダンパ通気部５０ｄを通過して第１層南風路１０ｂに流入すると共に、吸着空気の上部排気口として機能する筐体上部開口部１ｗを経由して流出し、室外へ排気される。
【００５１】
（ダンパ位置＜Ｂ＞における再生工程）
一方、図１に示されるように、室外空気Ｗは加熱手段５によって昇温されて高温低湿の再生入口空気Ｗ４５となった後、再生空気の上部吸気口として機能する筐体上部開口部１ｖを経由して、第１層１０の第１層北風路１０ａと、上部風路切換ダンパ５０の上部ダンパ通気部５０ａと、第２層２０の第２東風路２０ｂとに、流入する。そして、それぞれ第２層２０の第２層東風路２０ｂを経由して東水分吸着手段２ｂを通過し、第３層３０の第３層東風路３０ｂに流入する。このとき、高温低湿の再生入口空気Ｗ４５は、東水分吸着手段２ｂを再生（含まれていた水分を奪う）して、高湿の再生出口空気Ｗ４５２ｂになる。
さらに、第３層東風路３０ｂに流入した再生出口空気Ｗ４５２ｂは、下部風路切換ダンパ６０の下部ダンパ通気部６０ｄを通過して第４層南風路４０ｂに流入すると共に、再生空気の下部排気口として機能する筐体下部開口部１ｘを経由して流出し、筐体下部開口部１ｘに連通する再生空気送風手段４を経由して室内へ搬送されて、室内を加湿する。
【００５２】
このように、空気漏洩防止構造４００の筐体１には、高さ方向で第１層１０から第２層２０に跨って円周方向で１／４円周の範囲に、互いに対称位置に筐体上部開口部１ｖと筐体上部開口部１ｗとが形成され、さらに、高さ方向で第３層３０から第４層４０に跨って円周方向で１／４円周の範囲に、互いに対称位置に筐体下部開口部１ｘと筐体下部開口部１ｙとが形成されているから、風路への空気の出入口が大きいために、風路圧損が小さく吸着空気送風手段３および再生空気送風手段４を小型化することができ、また水分吸着手段２における風速分布が均一化され、水分吸着手段２の全体に担持された吸着剤を有効に使用することができるという効果がある。また、上部風路切換ダンパ５０および下部風路切換ダンパ６０を共に回転させるだけで、風路を切り換えることができるから、実施の形態１と同様の効果が得られる。
【００５３】
なお、図８では、第１層風路仕切板１１等および上部風路切換ダンパ５０等は、実施の形態１におけるものと同一のものであるが、本発明はこれに限定するものではなく、実施の形態２と同様に、第１層風路仕切板１１に縁部突起（フランジに同じ）１５を形成して断面Ｔ字状にするような変更をしたり（図５参照）、あるいは、実施の形態３と同様に、第１層風路仕切板１１を断面十字状にして第２層風路仕切板２１に第２層中間突起２６を形成するような変更をしたりしてもよい（図７参照）。そうすると、第１層風路仕切板１１と上部風路切換ダンパ５０との接触面積等が大きくなり、両者の隙間を空気が通りにくくなるため、空気漏洩を抑制することが可能となり、また、上部風路切換ダンパ５０等の回転誤差を吸収、または完全に防ぐことができ、回転時の上下方向のブレも抑制できるという効果も得られる。
【００５４】
（ダンパ位置＜Ｃ＞）
また、図８および図９では、筐体上部開口部１ｖ、筐体上部開口部１ｗ、筐体下部開口部１ｘ、筐体下部開口部１ｙ、上部風路切換ダンパ５０および下部風路切換ダンパ６０を、連動して９０°回転させて風路を切り換えているが、本発明はこれに限定するものではない。例えば、図１０に示すように、上部風路切換ダンパ５０を第１層風路仕切板１１および第２層風路仕切板２１に固定して設置し、下部風路切換ダンパ６０は第３層風路仕切板３１および第４層風路仕切板４１にそれぞれ固定して設置し、それぞれ回転させないで、筐体上部開口部１ｖ（第１層吸気口１４等）、筐体上部開口部１ｗ（第１層排気口１３等）、筐体下部開口部１ｘ（第４層排気口４４等）、筐体下部開口部１ｙ（第４層吸気口４３等）を、同一方向に１８０°連続回転させて風路を切り換えても、角度１８０°の正逆回転を繰り返してもよい。この場合、風路内部の仕切板とダンパが完全に密着されるので、ダンパに縁部突起などを設けることなく空気漏洩を防ぐことが可能となる。
【００５５】
また、図８〜図１０では、水分吸着手段２における吸着工程と再生工程の空気の流れ方向が対向となるように、第１層吸気口１４および第１層排気口１３を第１層１０と第２層２０に跨って設置し、第４層吸気口４３および第４層排気口４４を第３層３０と第４層４０に跨って設置しているが、同じ対向流であって、第１層１０と第２層２０、第３層３０と第４層４０の上下位置を逆転させてもよい。
また、例えば、図９および図１０のダンパ位置＜Ａ＞において、第１層１０の第１層南風路１０ｂ、上部風路切換ダンパ５０の上部ダンパ通気部５０ｄ、第２層２０の第２層東風路２０ｂに第４層吸気口４３を設置して、第３層３０の第３層東風路３０ｂ、下部風路切換ダンパ６０の下部ダンパ通気部６０ａ、第４層４０の第４層北風路４０ａに第１層排気口１３を設置し、水分吸着手段２における吸着工程と再生工程が並行流で行われるようにしてもよい。この場合、２つの吸込口が上層（第１層１０〜第２層２０）、２つの吹出口が下層（第３層３０〜第４層４０）というように、それぞれ同じ層に位置することになるので、送風手段を上層に設置し、第４層吸気口４３および第１層吸気口１４双方に押し込む構成が可能となり、１つの送風手段で加湿空気を連続的に生成することができる。
【００５６】
以上のように、吸込口、吹出口を２層に跨って設置し、２つの回転型ダンパ（上部風路切換ダンパ５０および下部風路切換ダンパ６０）とともに回転させて風路を切り換えるという単純な動作により、実施の形態１で示した効果に加え、風路への空気の出入口が大きいために、風路圧損が小さく送風手段を小型化でき、また水分吸着手段における風速分布が均一化され、水分吸着手段の全体に担持された吸着剤を有効に使用することができるという効果が得られる。
【００５７】
[実施の形態５：空気調和機]
図１１は本発明の実施の形態５に係る空気調和機を模式的に説明するものであって、室外側を一部を透過して示す概略構成図である。なお、実施の形態１と同じ部分にはこれと同じ符号を付し、一部の説明を省略する。
図１１において、空気調和機５０００は、実施の形態１で説明した除加湿装置１０００を、室外機５００の上部に一体化して設置したものである。室外機５００の内部には、公知の圧縮機５０１、室外機熱交換器５０２、室外機送風機５０３、および膨張弁５０４等が設置され、図示しない室内機の熱交換器と接続されて、ヒートポンプサイクルを形成している。
【００５８】
（動作）
次に動作の一例について説明する。動作についても、除加湿装置１０００と同一である。ヒートポンプサイクルが暖房運転を行っているとき、実施の形態１において説明したように、図３のダンパ位置＜Ａ＞および＜Ｂ＞となるように、上部風路切換ダンパ５０および下部風路切換ダンパ６０を繰り返し切り換えることにより、乾燥空気である吸着出口空気Ｗ３２、および高温高湿空気である再生出口空気Ｗ４５２が、連続的に除加湿装置１０００から排出される。このとき、再生出口空気Ｗ４５２は、室内と室外を接続するダクトなどを経由して、再生空気送風手段４により室内へと搬送され、室内機から排出される高温空気とともに室内へ供給され、室内を暖房加湿する。
【００５９】
このように、除加湿装置１０００を空気調和機５０００の室外機５００の上部に一体化して設置することにより、新たに除加湿装置１０００を設置するための床スペースを確保することなく、加湿機能を有する空気調和機５０００を得ることができる。また、ヒートポンプサイクルの暖房運転と同時に、連続的に加湿空気を室内に供給することが可能となるため、暖房時の乾燥を防ぐことができるという効果が得られる。
【００６０】
なお、図１１では、除加湿装置１０００を空気調和機５０００の室外機５００の上部に一体化して設置しているが、室外機送風機５０３の送風を阻害しない位置であれば、室外機５００の側面、あるいは底面に一体化して設置してもよい。どちらの場合でも、再生出口空気Ｗ４５２を室内に導くことが可能であり、底面に設置した場合は設置床スペースも変わらないため、除加湿装置１０００を上部に一体化して設置した場合と同様の効果が得られる。
【００６１】
また、図１１では、実施の形態１で説明したように、水分吸着手段２における吸着工程と再生工程の空気の流れ方向が対向となるように、第１層１０に第１層吸気口１４、第１層排気口１３、および第４層４０に第４層吸気口４３、第４層排気口４４を設置しているが、同じ対向流であって、第１層１０と第４層４０の上下位置を逆転させてもよく、また、第１層１０に設置された第４層吸気口４３と、第４層４０に設置された第１層排気口１３の位置を逆転させ、水分吸着手段２における吸着工程と再生工程が並行流で行われるようにしてもよい。
この場合、実施の形態１で説明した効果に加え、第１層排気口１３が室外機熱交換器５０２の空気吸込口付近である第４層４０に配置されることになり、乾燥空気であり、かつ吸着熱により外気よりも若干温度が上昇した吸着出口空気Ｗ３２が、ヒートポンプサイクルの暖房運転時に蒸発器である室外機熱交換器５０２に吸い込まれることになるので、室外機熱交換器５０２における着霜を抑制し、暖房運転効率を向上させるという効果も期待できる。
【００６２】
また、図１１では、吸着出口空気Ｗ３２の排気専用として、吸着空気送風手段３を設置しているが、除加湿装置１０００を空気調和機５０００の室外機５００に一体化して設置しているので、室外機５００の上面に連通口を設け、室外機送風機５０３によって取り込まれた空気の一部を、第４層吸気口４３に導いてもよい。
この場合、吸着空気送風手段３として室外機送風機５０３が兼用され、除加湿装置１０００に設置する送風機は再生空気送風手段４だけでよいので、送風機の数を削減することができ低コストとなる。
【００６３】
また、図１１では、空気調和機５０００は除加湿装置１０００を有するものであるが、本発明はこれに限定するものではなく、除加湿装置１０００に替えて除加湿装置２０００〜４０００（実施の形態２〜４）を有してもよい。
このとき、除加湿装置１０００を設置した場合と同様の効果が得られると共に、風路仕切板と風路切換ダンパの接触面積が大きくなり、両者の隙間を空気が通りにくくなるため、空気漏洩を抑制することが可能となり、また、風路切換ダンパの回転誤差を吸収、または完全に防ぐことができ、回転時の上下方向のブレも抑制することができるという効果や、風路圧損が小さくなることから、送風手段を小型化することができるという効果、あるいは、また水分吸着手段における風速分布が均一化されるから、水分吸着手段の全体に担持された吸着剤を有効に使用することができるという効果が得られる。
【００６４】
以上のように、空気調和機５０００は、室外機５００に除加湿装置１０００等を一体化して設置して、ヒートポンプサイクルの暖房運転と同時に加湿運転させることにより、省スペースで、暖房時の乾燥を防ぐことが可能な加湿機能を有する。このとき、水分吸着手段において吸着除湿され、吸着熱により外気よりも若干温度が上昇した空気を、蒸発器である室外機熱交換器に吸い込ませることが可能となるため、室外機熱交換器における着霜を抑制し、暖房運転効率を向上させるという効果も期待できる。
【００６５】
[実施の形態６：空気調和機]
図１２は本発明の実施の形態６に係る空気調和機を模式的に説明するものであって、室外機の一部を透過して示す概略構成図である。なお、実施の形態１と同じ部分にはこれと同じ符号を付し、一部の説明を省略する。
図１２において、空気調和機６０００は、建物９００の外壁９３８に設置された除加湿装置１０００（実施の形態１）を有している。なお、空気調和機６０００のヒートポンプサイクルにおける各部品については図示していないが、室外機と室内機を接続する冷媒配管は壁穴９３９を介して設置されている。また、除加湿装置１０００の、第１層排気口１３と連通する室外排気口９４０は室外に開放され、第４層排気口４４と連通する室内接続口９４１は、壁穴９３９と対面し密着されている。
【００６６】
（動作）
次に動作の一例について説明する。動作についても、除加湿装置１０００と同一である。ヒートポンプサイクルが暖房運転を行っているとき、実施の形態１にて説明したように、図３のダンパ位置＜Ａ＞および＜Ｂ＞となるように、上部風路切換ダンパ５０および下部風路切換ダンパ６０を繰り返し切り換えることにより、乾燥空気である吸着出口空気Ｗ３２、および高温高湿空気である再生出口空気Ｗ４５２が、連続的に除加湿装置１０００から排出される。このとき、除加湿装置１０００を建物の外壁９３８に直接設置し、室内接続口９４１が壁穴９３９と密着しているので、再生出口空気Ｗ４５２は、ダクトなどを経由せずに、再生空気送風手段４により最短距離で室内へと搬送され、室内機から排出される高温空気とともに室内へ供給され、室内を暖房加湿する。
【００６７】
このように、除加湿装置１０００を建物の外壁９３８に直接設置して、室内接続口９４１を壁穴９３９と密着させることにより、再生出口空気Ｗ４５２を室内へ搬送するためのダクトが不要となり、低コスト化を図ることができるだけでなく、搬送距離が最短となるため、風路圧損および騒音が小さくなり、再生空気送風手段４を小型化することも可能となり、信頼性が高くコンパクトな加湿機能を有する空気調和機６０００を得ることができる。
また、高湿である再生出口空気Ｗ４５２をダクトで搬送する場合、特に冬場ではダクトが外気により冷却されるため、内部で結露する危険性が高いが、ダクトが不要であるために、除加湿装置１０００で生成した加湿空気を、ロスなく有効に室内に供給することが可能となる。また、ヒートポンプサイクルの暖房運転と同時に、連続的に加湿空気を室内に供給することが可能となるため、暖房時の乾燥を防ぐことができるという効果が得られる。
【００６８】
なお、図１２では、室外排気口９４０を除加湿装置１０００の前面に設置し、吸着出口空気Ｗ３２を外気に開放しているが、室外排気口９４０から空気調和機６０００の室外機熱交換器の空気吸込口付近へと導くような風路を設け、吸着出口空気Ｗ３２を室外機に吸い込ませてもよい。この場合、吸着出口空気Ｗ３２は乾燥し、かつ、吸着熱によって加熱され外気よりも若干温度が上昇しているため、暖房運転時に蒸発器である室外機熱交換器における着霜を抑制し、暖房運転効率を向上させるという効果も期待できる。
【００６９】
また、図１２では、空気調和機６０００は除加湿装置１０００を有しているが、本発明はこれに限定するものではなく、除加湿装置１０００に替えて、除加湿装置２０００〜４０００（実施の形態２〜４）を有してもよい。このとき、前記作用効果に加え、風路仕切板の風路切換ダンパと接する部分における空気漏洩を抑制することが可能となり、また、風路切換ダンパの回転誤差を吸収、または完全に防ぐことができ、回転時の上下方向のブレも抑制することができるという効果も得られる。
【００７０】
また、空気調和機６０００が除加湿装置１０００に替えて、除加湿装置４０００（実施の形態４）を有する場合、室内接続口９４１を壁穴９３９と密着させ、再生出口空気Ｗ４５２を最短距離で室内に供給すれば、実施の形態１で説明した除加湿装置１０００を設置した場合と同様の効果が得られる。
【００７１】
以上のように、除加湿装置１０００を建物９００の外壁に直接設置して、ヒートポンプサイクルの暖房運転と同時に、壁穴９３９から加湿空気を最短距離で室内に供給することにより、低コストで、暖房時の乾燥を防ぐことのできる、高効率加湿機能を有する空気調和機６０００を得ることが可能となる。このとき、加湿空気を室外から室内へ搬送するためのダクトが不要であるため、風路圧損が小さく送風手段を小型化することができるだけでなく、ダクト騒音やダクト内結露などの問題も回避することも可能となり、信頼性を確保できるという効果も得られる。
【００７２】
[実施の形態７：空気調和機]
図１３は本発明の実施の形態７に係る空気調和機を模式的に説明するものであって、室内機の一部を透過して示す概略構成図である。なお、実施の形態１と同じ部分にはこれと同じ符号を付し、一部の説明を省略する。
図１３において、空気調和機７０００は、建物９００の内壁９４２に設された除加湿装置１０００（実施の形態１）を有している。空気調和機７０００のヒートポンプサイクルにおける各部品については図示していないが、室外機と室内機を接続する冷媒配管は壁穴９３９を介して設置されている。また、除加湿装置１０００の第１層排気口１３と連通する室外排気口９４０は、壁穴９３９と対面し密着され、一方、第４層排気口４４と連通する室内接続口９４１は室内に開放されている。
【００７３】
（動作）
次に、動作の一例について説明する。動作についても、除加湿装置１０００内部については、基本的に実施の形態１と同一である。第４層吸気口４３から吸い込まれる吸着入口空気Ｗ３は、外気ではなく室内空気となり、また、第１層吸気口１４から吸い込まれる再生入口空気Ｗ４５は、外気ではなく室内空気を加熱手段５で昇温した空気となる。
ヒートポンプサイクルが暖房運転を行っているとき、実施の形態１において説明したように、図３のダンパ位置＜Ａ＞および＜Ｂ＞となるように、上部風路切換ダンパ５０および下部風路切換ダンパ６０を繰り返し切り換えることにより、乾燥空気である吸着出口空気Ｗ３２、および高温高湿空気である再生出口空気Ｗ４５２が、連続的に除加湿装置１０００から排出される。
このとき、除加湿装置１０００を建物の内壁９４２に直接設置し、室内接続口９４１は室内に開放されているので、再生出口空気Ｗ３２ｂは、ダクトなどを経由せずに、再生空気送風手段４により直接室内へ供給され、室内機から排出される高温空気とともに室内を暖房加湿する。
【００７４】
このように、空気調和機７０００は、除加湿装置１０００を建物の内壁９４２に直接設置して、室内接続口９４１を室内に開放することにより、実施の形態６と同様に、再生出口空気Ｗ４５２を室内へ搬送するためのダクトが不要となり、低コストで、再生空気送風手段４を小型化することによりコンパクトな加湿機能を有する空気調和機７０００を得ることができると共に、ダクト騒音やダクト内結露などの問題を回避することも可能となり、信頼性を確保できる効果が得られる。
また、吸着入口空気Ｗ３として室内空気を使用するので、除加湿装置１０００の内部に室温以下の空気が流れることはなく、吸着風路を外気が流れる場合よりも、ユニット内部において結露が発生する危険性を回避できるという効果が得られる。さらに、再生入口空気Ｗ４５として暖房された室内空気を使用するので、水分吸着手段２において水分の再生に必要な空気温度を得るために、加熱手段５にて昇温に必要な熱量が軽減されるという省エネ効果も得られる。また、ヒートポンプサイクルの暖房運転と同時に、連続的に加湿空気を室内に供給することが可能となるため、暖房時の乾燥を防ぐことができるという効果が得られる。
【００７５】
なお、図１３では、第４層吸気口４３を室内に開放し、吸着入口空気Ｗ３として暖房された室内空気を吸い込ませているが、壁穴９３９を２分割して一方を第４層吸気口４３と接続し、あるいは別の壁穴を設けて第４層吸気口４３と接続することにより、吸着入口空気Ｗ３として外気を吸い込ませてもよい。
この場合、水分吸着手段２に担持された吸着剤は、相対湿度の高い外気中の水分を吸着することになるので、吸着剤が吸着できる水分量が増加し、室内空気を吸着させるよりも室内に供給される加湿量としては増加するという効果が得られる。
【００７６】
また、図１３では、空気調和機７０００は除加湿装置１０００を有しているが、本発明はこれに限定するものではなく、除加湿装置１０００に替えて、除加湿装置２０００〜４０００（実施の形態２〜４）を有してもよい。このとき、前記作用効果に加え、風路仕切板の風路切換ダンパと接する部分における空気漏洩を抑制することが可能となり、また、風路切換ダンパの回転誤差を吸収、または完全に防ぐことができ、回転時の上下方向のブレも抑制することができるという効果も得られる。
【００７７】
また、除加湿装置４０００を設置する場合、室内接続口９４１を室内に開放し、再生出口空気Ｗ４５２を直接室内に供給すれば、実施の形態１で説明した除加湿装置１０００を設置した場合と同様の効果が得られる。
【００７８】
以上のように、除加湿装置を建物の内壁に直接設置して、ヒートポンプサイクルの暖房運転と同時に、加湿空気を直接室内に供給することにより、低コストでコンパクトな、暖房時の乾燥を防ぐことのできる加湿機能を有する空気調和機７０００を得ることができるだけでなく、ダクト騒音やダクト内結露などの問題を回避することも可能となり、信頼性を確保できる効果が得られる。
このとき、吸着入口空気および再生入口空気として、暖房された室内空気を使用するので、除加湿装置内部における結露の危険性を回避でき、また、再生空気生成に必要な加熱手段における投入熱量を軽減できるという省エネ効果も得られる。
【００７９】
なお、以上説明した空気漏洩防止構造は、通気体を水分吸着手段に限定するものではないから、水分吸着手段に替えてフィルタを設置して空気浄化装置（エアークリーナー）にすることができる。このとき、風路の切換によってフィルタの自動洗浄が可能である。また、空気に替えて、水や油等の液体を供給することも可能であるから、液体浄化装置（ストレーナー）にすることもできる。
【産業上の利用可能性】
【００８０】
本発明に係る空気漏洩防止構造は、構成および制御が簡素であり、空気漏洩の発生や吸着効率の低下を防止し、しかも結露抑制効果を奏しながら小型化を達成し、単純な動作によって連続的に風路を切り換えることができるから、これを搭載することによって、単独使用される各種除加湿装置や各種乾燥装置、あるいは各種機器に搭載される除加湿装置や乾燥装置として、さらに家庭用や業務用の各種空気調和機として広く利用することができると共に、空気浄化装置や液体浄化装置としても広く利用することができる。
【図面の簡単な説明】
【００８１】
【図１】本発明の実施の形態１に係る除加湿装置を一部を透視して模式的に示す斜視図。
【図２】図１に示す除加湿装置を構成する空気漏洩防止構造を分解して模式的に示す斜視図。
【図３】図２に示す空気漏洩防止構造の動作を模式的に示す部分平面図。
【図４】本発明の実施の形態２に係る空気漏洩防止構造を分解して示す斜視図。
【図５】図４に示す空気漏洩防止構造の一部を拡大して示す部分側面図。
【図６】本発明の実施の形態３に係る空気漏洩防止構造を分解して示す斜視図。
【図７】図４に示す空気漏洩防止構造の一部を拡大して示す部分側面図。
【図８】本発明の実施の形態４に係る空気漏洩防止構造を分解して示す斜視図。
【図９】図８に示す空気漏洩防止構造の動作を模式的に示す部分平面図。
【図１０】図８に示す空気漏洩防止構造の動作を模式的に示す部分平面図。
【図１１】本発明の実施の形態５に係る空気調和機を一部を透過して示す概略構成図。
【図１２】本発明の実施の形態６に係る空気調和機を一部を透過して示す概略構成図。
【図１３】本発明の実施の形態７に係る空気調和機を一部を透過して示す概略構成図。
【符号の説明】
【００８２】
１：筐体、１ｖ：筐体上部開口部、１ｗ：筐体上部開口部、１ｘ：筐体下部開口部、１ｙ：筐体下部開口部、１ｚ：中心軸、２：水分吸着手段、２ａ：西水分吸着手段、２ｂ：東水分吸着手段、３：吸着空気送風手段、４：再生空気送風手段、５：加熱手段、１０：第１層、１０ａ：第１層北風路、１０ｂ：第１層南風路、１１：第１層風路仕切板、１３：第１層排気口、１４：第１層吸気口、１５：第１層縁部突起、１６：第１層中間突起、２０：第２層、２０ａ：第２層西風路、２０ｂ：第２層東風路、２１：第２層風路仕切板、２３：第２層排気口、２４：第２層吸気口、２５：第２層縁部突起、２６：第２層中間突起、３０：第３層、３０ａ：第３層西風路、３０ｂ：第３層東風路、３１：第３層風路仕切板、３３：第３層吸気口、３４：第３層排気口、３５：第３層縁部突起、３６：第３層中間突起、４０：第４層、４０ａ：第４層北風路、４０ｂ：第４層南風路、４１：第４層風路仕切板、４３：第４層吸気口、４４：第４層排気口、４５：第４層縁部突起、４６：第４層中間突起、５０：上部風路切換ダンパ、５０ａ：上部ダンパ通気部、５０ｂ：上部ダンパ閉塞部、５０ｃ：上部ダンパ閉塞部、５０ｄ：上部ダンパ通気部、５１：上部ダンパ上面突起、５２：上部ダンパ下面突起、５３：上部ダンパ排気口、５４：上部ダンパ吸気口、６０：下部風路切換ダンパ、６０ａ：下部ダンパ通気部、６０ｂ：下部ダンパ閉塞部、６０ｃ：下部ダンパ閉塞部、６０ｄ：下部ダンパ通気部、６１：下部ダンパ上面突起、６２：下部ダンパ下面突起、６３：下部ダンパ吸気口、６４：下部ダンパ吸気口、１００：空気漏洩防止構造（実施の形態１）、２００：空気漏洩防止構造（実施の形態２）、３００：空気漏洩防止構造（実施の形態３）、４００：空気漏洩防止構造（実施の形態４）、５００：室外機（実施の形態５）、５０１：圧縮機、５０２：室外機熱交換器、５０３：室外機送風機、５０４：膨張弁、１０００：除加湿装置（実施の形態１）、４０００：除加湿装置、５０００：空気調和機、６０００：空気調和機、７０００：空気調和機、９００：建物、９３８：外壁、９３９：壁穴、９４０：室外排気口、９４１：室内接続口、９４２：内壁、Ｗ３：吸着入口空気、Ｗ３２：吸着出口空気、Ｗ４５：再生入口空気、Ｗ４５２：再生出口空気。
【図１】
2010101579.tif 000003
【図２】
2010101579.tif 000004
【図３】
2010101579.tif 000005
【図４】
2010101579.tif 000006
【図５】
2010101579.tif 000007
【図６】
2010101579.tif 000008
【図７】
2010101579.tif 000009
【図８】
2010101579.tif 000010
【図９】
2010101579.tif 000011
【図１０】
2010101579.tif 000012
【図１１】
2010101579.tif 000013
【図１２】
2010101579.tif 000014
【図１３】
2010101579.tif 000015